(57)【要約】【課題】  自動的に適切なチャプタを付加する。【解決手段】  デジタル記録装置１００は、複数の条件を表す情報を予め記録するメモリ１１０と、ビデオテープから、複数の種類の視聴信号を読出すＶＣＲ装置１０２と、ＶＣＲ装置１０２が読出した視聴信号のいずれかである、予め定められた種類の信号を検出する検出回路１０４と、検出回路１０４が検出した信号に基づいて、複数の条件を満たすか否かを判断するＭＰＵ１０８と、ＭＰＵ１０８が、複数の条件を満たすと判断した場合、複数の条件を満たす信号、および複数の条件を満たす信号の組合せのいずれかを特定する特定信号を生成する信号処理部１４６と、特定信号、および視聴信号を、光ディスクに記録するＤＶＤドライブ１５２とを含む。【選択図】        図１
2006012347.tif 000002
【特許請求の範囲】
【請求項１】
映像および音声それぞれについて、複数の条件を受付けるための受付手段と、
前記受付手段が受付けた、前記複数の条件を表す情報を記録するための第１の記録手段と、
ビデオテープから、前記映像および音声のいずれかを表す、複数の種類の視聴信号を読出すための読出し手段と、
前記読出し手段が読出した視聴信号のいずれかである、予め定められた種類の信号を検出するための検出手段と、
前記検出手段が検出した信号に基づいて、前記複数の条件を満たすか否かを判断するための判断手段と、
前記判断手段が、前記複数の条件を満たすと判断した場合、前記複数の条件を満たす信号、および前記複数の条件を満たす信号の組合せのいずれかを特定する特定信号を生成するための生成手段と、
前記特定信号、および前記視聴信号を、光ディスクに記録するための第２の記録手段とを含む、ＤＶＤ機器。
【請求項２】
映像および音声のいずれかについて、複数の条件を表す情報を予め記録するための第１の記録手段と、
記録媒体から、前記映像および音声のいずれかを表す、複数の種類の視聴信号を読出すための読出し手段と、
前記読出し手段が読出した視聴信号のいずれかである、予め定められた種類の信号を検出するための検出手段と、
前記検出手段が検出した信号に基づいて、前記複数の条件を満たすか否かを判断するための判断手段と、
前記判断手段が、前記複数の条件を満たすと判断した場合、前記複数の条件を満たす信号、および前記複数の条件を満たす信号の組合せのいずれかを特定する特定信号を生成するための生成手段と、
前記特定信号、および前記視聴信号を、前記読出し手段が信号を読出した記録媒体とは別の記録媒体に記録するための第２の記録手段とを含む、デジタル記録装置。
【請求項３】
前記複数の条件は、前記検出手段が検出した、音声を特定する視聴信号の種類数が、増加したことを示す条件を含む、請求項２に記載のデジタル記録装置。
【請求項４】
前記音声を特定する視聴信号は、複数の拡声器において互いに異なる音声を出力させる複数の種類の信号を含む、請求項３に記載のデジタル記録装置。
【請求項５】
前記複数の条件は、
前記検出手段が検出した、音声を表す視聴信号の種類数が増加したことを示す条件と、
映像を表す視聴信号の内容が、予め定められた明度を下回る、一色で塗潰された映像に変化したことを示す条件とを含む、請求項２に記載のデジタル記録装置。
【請求項６】
前記複数の条件は、
前記検出手段が検出した、音声を表す視聴信号の種類数が増加したことを示す条件と、
前記検出手段が検出した、映像が表示される時機を表す信号の周期が変化したことを示す条件とを含む、請求項２に記載のデジタル記録装置。
【請求項７】
前記デジタル記録装置は、前記複数の条件を表す情報を受付けるための受付手段をさらに含む、請求項２に記載のデジタル記録装置。
【請求項８】
映像および音声のいずれかについて、複数の条件を表す情報を予め記録する第１の記録ステップと、
記録媒体から、前記映像および音声のいずれかを表す、複数の種類の視聴信号を読出す読出しステップと、
前記読出しステップにおいて読出した視聴信号のいずれかである、予め定められた種類の信号を検出する検出ステップと、
前記検出ステップにおいて検出した信号に基づいて、前記複数の条件を満たすか否かを判断する判断ステップと、
前記判断ステップにおいて、前記複数の条件を満たすと判断した場合、前記複数の条件を満たす信号、および前記複数の条件を満たす信号の組合せのいずれかを特定する特定信号を生成する生成ステップと、
前記特定信号、および前記視聴信号を、前記読出しステップにおいて信号を読出した記録媒体とは別の記録媒体に記録する第２の記録ステップとを含む、デジタル記録方法。
【発明の詳細な説明】
【技術分野】
【０００１】
本発明は、デジタル記録装置、デジタル記録方法、およびＤＶＤ機器に関し、特に、チャプタなどの信号の付加が可能なデジタル記録装置、デジタル記録方法、およびＤＶＤ機器に関する。
【背景技術】
【０００２】
デジタル化されたデータを効率的に検索するためには、適切にチャプタなどの信号が付されているか否かが重要な問題となる。
【０００３】
このため、たとえばＶＣＲ（Video Cassette Recorder）からＤＶＤ映像を録画し直す際に、ＶＣＲ信号の状態の変化を認識し、チャプタを付加するか否か判断するといった手法が用いられる。
【０００４】
特許文献１には、所定の設定情報に基づき、信号の状態が変化したことに応じて、自動的にチャプタに関する情報を作成するディスク記録装置が開示されている。
【０００５】
しかしながら、特許文献１に開示されたように、信号の状態の変換に応じて自動的にチャプタに関する情報を作成する場合には、不要なチャプタに関する情報が生成されてしまうという問題がある。これは、コマーシャルや弱電信号などが頻繁に変化することに原因がある。
【特許文献１】特開２０００−３５４２２５号公報
【発明の開示】
【発明が解決しようとする課題】
【０００６】
本発明は上述の問題点を解決するためになされたものであって、その目的は、自動的に適切な信号を付加できるデジタル記録装置、デジタル記録方法、およびＤＶＤ機器を提供することにある。
【課題を解決するための手段】
【０００７】
上記目的を達成するために、本発明のある局面にしたがうと、ＤＶＤ機器は、映像および音声それぞれについて、複数の条件を受付けるための受付手段と、受付手段が受付けた、複数の条件を表す情報を記録するための第１の記録手段と、ビデオテープから、映像および音声のいずれかを表す、複数の種類の視聴信号を読出すための読出し手段と、読出し手段が読出した視聴信号のいずれかである、予め定められた種類の信号を検出するための検出手段と、検出手段が検出した信号に基づいて、複数の条件を満たすか否かを判断するための判断手段と、判断手段が、複数の条件を満たすと判断した場合、複数の条件を満たす信号、および複数の条件を満たす信号の組合せのいずれかを特定する特定信号を生成するための生成手段と、特定信号、および視聴信号を、光ディスクに記録するための第２の記録手段とを含む。
【０００８】
すなわち、受付手段は、映像および音声それぞれについて、複数の条件を受付ける。第１の記録手段は、受付手段が受付けた、複数の条件を表す情報を記録する。読出し手段は、ビデオテープから、映像および音声のいずれかを表す、複数の種類の視聴信号を読出す。検出手段は、読出し手段が読出した視聴信号のいずれかである、予め定められた種類の信号を検出する。判断手段は、検出手段が検出した信号に基づいて、複数の条件を満たすか否かを判断する。生成手段は、判断手段が、複数の条件を満たすと判断した場合、複数の条件を満たす信号、および複数の条件を満たす信号の組合せのいずれかを特定する特定信号を生成する。第２の記録手段は、特定信号、および視聴信号を、光ディスクに記録する。これにより、複数の条件が満たされる視聴信号が特定される。その結果、自動的に適切な信号を付加できるＤＶＤ機器を提供することができる。
【０００９】
本発明の他の局面にしたがうと、デジタル記録装置は、映像および音声のいずれかについて、複数の条件を表す情報を予め記録するための第１の記録手段と、記録媒体から、映像および音声のいずれかを表す、複数の種類の視聴信号を読出すための読出し手段と、読出し手段が読出した視聴信号のいずれかである、予め定められた種類の信号を検出するための検出手段と、検出手段が検出した信号に基づいて、複数の条件を満たすか否かを判断するための判断手段と、判断手段が、複数の条件を満たすと判断した場合、複数の条件を満たす信号、および前記複数の条件を満たす信号の組合せのいずれかを特定する特定信号を生成するための生成手段と、特定信号、および視聴信号を、読出し手段が信号を読出した記録媒体とは別の記録媒体に記録するための第２の記録手段とを含む。
【００１０】
すなわち、第１の記録手段は、映像および音声のいずれかについて、複数の条件を特定する情報を予め記録する。読出し手段は、記録媒体から、映像および音声のいずれかを表す、複数の種類の視聴信号を読出す。検出手段は、読出し手段が読出した視聴信号のいずれかである、予め定められた種類の信号を検出する。判断手段は、検出手段が検出した信号が、複数の条件を満たすか否かを判断する。生成手段は、判断手段が、複数の条件を満たすと判断した場合、複数の条件を満たす信号、および複数の条件を満たす信号の組合せのいずれかを特定する特定信号を生成する。第２の記録手段は、特定信号、および視聴信号を、読出し手段が信号を読出した記録媒体とは別の記録媒体に記録する。これにより、複数の条件が満たされる視聴信号が特定される。その結果、自動的に適切な信号を付加できるデジタル記録装置を提供することができる。
【００１１】
また、上述の複数の条件は、検出手段が検出した、音声を特定する視聴信号の種類数が、増加したことを示す条件を含むことが望ましい。
【００１２】
すなわち、判断手段は、検出手段が検出した、音声を特定する視聴信号の種類数が、増加したことを示す条件を含む、複数の条件を満たすか否かを判断する。これにより、より簡単な制御によって、より確実に、複数の条件が満たされる視聴信号が特定される。その結果、より簡単な制御によって、自動的に適切な信号を、より確実に付加できるデジタル記録装置を提供することができる。
【００１３】
もしくは、上述の音声を特定する視聴信号は、複数の拡声器において互いに異なる音声を出力させる複数の種類の信号を含むことが望ましい。
【００１４】
すなわち、判断手段は、検出手段が検出した、複数の拡声器において互いに異なる音声を出力させる複数の種類の信号の種類数が、増加したことを示す条件を含む、複数の条件を満たすか否かを判断する。これにより、より簡単な制御によって、さらに確実に、複数の条件が満たされる視聴信号が特定される。その結果、より簡単な制御によって、自動的に適切な信号を、さらに確実に付加できるデジタル記録装置を提供することができる。
【００１５】
また、上述の複数の条件は、検出手段が検出した、音声を表す視聴信号の種類数が増加したことを示す条件と、映像を表す視聴信号の内容が、予め定められた明度を下回る、一色で塗潰された映像に変化したことを示す条件とを含むことが望ましい。
【００１６】
すなわち、判断手段は、検出手段が検出した、音声を表す視聴信号の種類数が増加したことを示す条件、および映像を表す視聴信号の内容が、予め定められた明度を下回る、一色で塗潰された映像に変化したことを示す条件を含む、複数の条件を満たすか否かを判断する。これにより、より簡単な制御によって、さらに確実に、複数の条件が満たされる視聴信号が特定される。その結果、より簡単な制御によって、自動的に適切な信号を、さらに確実に付加できるデジタル記録装置を提供することができる。
【００１７】
また、上述の複数の条件は、検出手段が検出した、音声を表す視聴信号の種類数が増加したことを示す条件と、検出手段が検出した、映像が表示される時機を表す信号の周期が変化したことを示す条件とを含むことが望ましい。
【００１８】
すなわち、判断手段は、検出手段が検出した、音声を表す視聴信号の種類数が増加したことを示す条件、および検出手段が検出した、映像が表示される時機を表す信号の周期が変化したことを示す条件を含む、複数の条件を満たすか否かを判断する。これにより、より簡単な制御によって、さらに確実に、複数の条件が満たされる視聴信号が特定される。その結果、より簡単な制御によって、自動的に適切な信号を、さらに確実に付加できるデジタル記録装置を提供することができる。
【００１９】
また、上述のデジタル記録装置は、複数の条件を表す情報を受付けるための受付手段をさらに含むことが望ましい。
【００２０】
すなわち、受付手段は、複数の条件を表す情報を受付ける。これにより、多種多様な視聴信号が特定される。その結果、自動的に、多種多様で、適切な信号を付加できるデジタル記録装置を提供することができる。
【００２１】
本発明の他の局面にしたがうと、デジタル記録方法は、映像および音声のいずれかについて、複数の条件を表す情報を予め記録する第１の記録ステップと、記録媒体から、映像および音声のいずれかを表す、複数の種類の視聴信号を読出す読出しステップと、読出しステップにおいて読出した視聴信号のいずれかである、予め定められた種類の信号を検出する検出ステップと、検出ステップにおいて検出した信号に基づいて、複数の条件を満たすか否かを判断する判断ステップと、判断ステップにおいて、複数の条件を満たすと判断した場合、複数の条件を満たす信号、および複数の条件を満たす信号の組合せのいずれかを特定する特定信号を生成する生成ステップと、特定信号、および視聴信号を、読出しステップにおいて信号を読出した記録媒体とは別の記録媒体に記録する第２の記録ステップとを含む。
【００２２】
すなわち、自動的に適切な信号を付加できるデジタル記録方法を提供することができる。
【発明の効果】
【００２３】
本発明に係るデジタル記録装置、デジタル記録方法、およびＤＶＤ機器は、自動的に適切な信号を付加できる。
【発明を実施するための最良の形態】
【００２４】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２５】
図１を参照して、本実施の形態に係るデジタル記録装置１００は、テレビ１４０に接続されている。デジタル記録装置１００は、ビデオテープに記録された視聴信号をＤＶＤに記録する。デジタル記録装置１００は、ＤＶＤに記録された視聴信号をテレビ１４０に出力する装置でもある。本実施の形態の場合、デジタル記録装置１００は、ＤＶＤ機器の一種である。テレビ１４０は、ＤＶＤ装置１０６が出力した信号を映像および音声に変換する。
【００２６】
デジタル記録装置１００は、ＶＣＲ装置１０２と、検出回路１０４と、ＤＶＤ装置１０６と、ＭＰＵ（Microprocessor  Unit）１０８と、メモリ１１０と、ＶＣＲ用デコーダ１１２と、セレクタ１１４と、ＤＶＤ用エンコーダ１１６と、チューナ１１８と、計時回路１２０と、表示部１２２と、操作部１２４と、受光部１２６と、ＯＳＤ（On   Screen   Display）画像生成回路１２８と、出力部１３０とを含む。ＶＣＲ装置１０２は、記録媒体（本実施の形態の場合、ビデオテープ）から、映像および音声のいずれかを表す、複数の種類の視聴信号を読出す装置である。本実施の形態において、視聴信号は、映像および音声のいずれかを表す信号であれば具体的な内容は特に特定されない。たとえば、映像の表示に用いられる信号、音声の出力に用いられる信号が視聴信号の一種である。この他、二ヶ国語放送の場合であれば、日本語の台詞を出力する信号に加え、外国語の台詞を出力する信号も視聴信号に含まれる。
【００２７】
ＶＣＲ装置１０２は、情報を信号に変換した上で、ビデオテープに記録する装置でもある。検出回路１０４は、ＶＣＲ装置１０２が読出した視聴信号のいずれかである、予め定められた種類の信号を検出する。検出回路１０４は、入力された信号を、ＤＶＤ装置１０６に出力する回路でもある。ＤＶＤ装置１０６は、光ディスクに信号を記録する装置である。ＤＶＤ装置１０６は、光ディスクに記録された信号を読出す装置でもある。ＭＰＵ１０８は、デジタル記録装置１００の各部を制御する回路である。ＭＰＵ１０８は、デジタル記録装置１００の各部の制御に必要な演算を実施する回路でもある。ＭＰＵ１０８は、検出回路１０４が検出した信号に基づいて、後述する複数の条件を満たすか否かを判断する回路でもある。メモリ１１０は、ＭＰＵ１０８による制御および演算に必要な情報を記録する。演算に必要な情報には、後述するフラグの値も含まれる。制御に必要な情報には、映像および音声のいずれかについて、複数の条件を表す情報も含まれる（詳細は後述する）。ＶＣＲ用デコーダ１１２は、ＶＣＲ装置１０２から出力された信号を検出回路１０４が検出可能な信号に変換する。セレクタ１１４は、ＶＣＲ用デコーダ１１２が出力した信号および後述するチューナ１１８が出力した信号のいずれか選択して入力する。
【００２８】
ＤＶＤ用エンコーダ１１６は、検出回路１０４が出力した信号を、ＤＶＤ装置１０６が利用できる信号に変換する。チューナ１１８は、アンテナ１６０を含む。チューナ１１８は、アンテナ１６０が受信した電波から、任意の周波数の電波を選択する。チューナ１１８は、選択した電波を検出回路１０４が利用可能な信号に変換する装置でもある。計時回路１２０は、ＤＶＤ装置１０６における時間を計測する。計時回路１２０は、時刻データをＭＰＵ１０８に出力する回路でもある。また、ＭＰＵ１０８からの制御信号がこの回路に入力される。計時回路１２０の時刻は、この信号に基づいて補正される。計時回路１２０は、外部から供給される電源に基づいて作動するが、一時的な停電があっても、予め設定された時間は作動し続けることができる。表示部１２２は、ＤＶＤ装置１０６に関する情報を表示する。この情報には、時間、受信チャンネル、カウンタ、録画／再生モードその他の項目が含まれる。本実施の形態における表示部１２２は、ＤＶＤ装置１０６の前面に形成されたインジケータである。ただし、表示部１２２はその他の装置であってもよい。
【００２９】
操作部１２４は、映像および音声のいずれかについて、複数の条件を表す情報を始めとする、利用者の指示を表わす情報を受付ける。本実施の形態における操作部１２４は、ＤＶＤ装置１０６の前面のパネルに設けられた入力ボタンであるが、これに限られない。指示が受付けられると、その指示に対応する処理を実行させる信号が生成される。この信号は、ＭＰＵ１０８に出力される。受光部１２６は、後述するリモコン端末２００から発せられたリモコン信号を受信する。この信号は、ＭＰＵ１０８に出力される。この信号は、映像および音声のいずれかについて、複数の条件を特定する情報を始めとする、利用者の指示を表わす情報である。ＯＳＤ画像生成回路１２８は、ＭＰＵ１０８が出力した信号に基づいて、メッセージ画像を表示するための信号を生成する。このメッセージ画像とは、チャンネル表示、予約画像、音量表示その他の映像であって、後述するＤＶＤ装置１０６に記録されている画像とは異なる画像である。出力部１３０は、ＯＳＤ画像生成回路１２８およびＤＶＤ用デコーダ１５４からの信号をテレビ１４０に出力する。
【００３０】
ＤＶＤ装置１０６は、信号処理部１４６と、ＤＶＤドライブ１５２と、ＤＶＤ用デコーダ１５４とを含む。信号処理部１４６は、ＭＰＵ１０８が出力した信号に基づいて、チャプタを生成する。チャプタとは、しおりの役割を果たす信号のことである。チャプタは、映像中の特定の場面を表示させるためなどに用いられる。チャプタがそのように用いられるので、チャプタは、ある信号およびある信号の組合せのいずれかを特定する、特定信号の一種である。特定信号は、複数の条件を満たす１つの信号を特定することも、複数の条件を満たす信号の組合せを特定することもある。これにより、信号処理部１４６は、ＭＰＵ１０８が出力した信号に基づいて、特定信号を生成する回路とも言える。ＭＰＵ１０８は、その複数の条件を満たすと判断した場合、信号処理部１４６に信号を出力する。信号処理部１４６は、その信号に基づいてチャプタを生成すると、その信号を出力部１３０に出力する。ＤＶＤドライブ１５２は、チャプタ、および視聴信号を、ビデオテープとは別の記録媒体（本実施の形態の場合、その記録媒体とは、ＤＶＤディスク、すなわち光ディスクである。）に記録する。ＤＶＤドライブ１５２は、ＤＶＤディスクから信号を読出す装置でもある。ＤＶＤ用デコーダ１５４は、ＤＶＤドライブ１５２から読出された信号に基づいて、テレビ１４０で表示可能な画像を表示するための信号を生成する。
【００３１】
図２を参照して、本実施の形態に係るＤＶＤ用エンコーダ１１６の構成について説明する。ＤＶＤ用エンコーダ１１６は、音声用処理部１６２と、映像用処理部１６４とを含む。音声用処理部１６２は、検出回路１０４が出力した信号のうち音声用の信号をＤＶＤドライブ１５２が記録可能な信号に変換する。映像用処理部１６４は、検出回路１０４が出力した、映像用の信号を、ＤＶＤドライブ１５２が利用可能な信号に変換する。
【００３２】
図３を参照して、本実施の形態に係るＤＶＤ装置１０６にリモコン信号を送信するためのリモコン端末２００について説明する。図３は、リモコン端末２００の外形図である。リモコン端末２００は、モニタ２１０と、カーソルボタン２２０と、テンキー２３０とを含む。モニタ２１０は、利用者が入力した指示を表示する。カーソルボタン２２０は、テレビ１４０その他の表示装置に示される、入力を促すカーソルの位置を変更するためのボタンである。テンキー２３０は、所定の指示を入力するための、あるいは利用者が視聴を希望するチャンネルを選択するためのボタンである。なお、リモコン端末２００は、図３に示したものに限られず、表示の切換、録画の予約、その他指示に関するリモコン信号を送信することができる端末であればよい。
【００３３】
利用者がリモコン端末２００をＤＶＤ装置１０６に向けて、特定のボタンを押し下げると、その押し下げに応答してリモコン信号が送信部（図示せず）から送信される。この信号がＤＶＤ装置１０６の受光部１２６に受光されると、ＤＶＤ装置１０６はその信号に対応する処理を実行する。たとえば、利用者が録画設定ボタン（図示せず）を押し下げすると、ＤＶＤ装置１０６は、テレビ１４０の表示画面を録画設定画面に切換える。あるいは、その画面において、カーソルを左右に移動させるためのカーソルボタン２２０を押し下げすると、ＤＶＤ装置１０６は、録画開始時刻あるいは録画終了時刻の設定の変更を可能にする。
【００３４】
図４を参照して、デジタル記録装置１００で実行されるプログラムは、予約の受付に関し、以下のような制御構造を有する。
【００３５】
ステップ１００（以下、ステップをＳと略す。）にて、操作部１２４もしくは受光部１２６は、ＭＰＵ１０８の制御により、状態の設定を受付ける。状態の設定を受付けるために、操作部１２４もしくは受光部１２６は、複数の条件を特定する情報を受付ける。本実施の形態でいう「複数の条件を特定する情報」とは、たとえばコマーシャルが終了した直後にチャプタを設定する旨の情報、あるいは二ヶ国語放送が始まるとチャプタを設定する旨の情報などをいう。複数の条件を特定する情報がこれらに限定されないことは言うまでもない。なお、複数の条件を特定する情報が、単一の情報によって構成されるか複数の情報によって構成されるかは、特に特定されない。また本実施の形態において、複数の条件を特定する情報は、リモコン端末２００が送信した信号として受付けられる。リモコン端末２００が送信した信号は、ユーザがテレビ１４０に表示された設定画面を見ながらカーソルキー２２０を操作したことに基づき送信された信号である。テレビ１４０に表示された設定画面は、ＯＳＤ画像生成回路１２８が生成する。複数の条件を特定する情報が受付けられると、ＯＳＤ画像生成回路１２８は、ＭＰＵ１０８が出力した信号に基づき、その情報の内容に応じた画像を生成するための信号を生成する。
【００３６】
ＭＰＵ１０８は、操作部１２４もしくは受光部１２６が受付けた情報に基づき、その信号を出力する。ここでいう操作部１２４もしくは受光部１２６が受付けた情報とは、テレビ１４０に表示されたカーソルを上下左右のいずれかに移動させる旨の信号や、状態の設定を確定する旨の信号などである。ＭＰＵ１０８は、メモリ１１０に、テレビ１４０に表示された設定画面の内容を記憶させている。その内容は、ＭＰＵ１０８が、ＯＳＤ画像生成回路１２８に出力した信号の内容に基づき、予め特定した内容である。操作部１２４もしくは受光部１２６が状態の設定を確定する旨の信号を受付けると、ＭＰＵ１０８は、メモリ１１０を参照して、その時点でテレビ１４０に表示された設定画面の内容を特定する。設定画面の内容が特定されると、ＭＰＵ１０８は、その内容に基づいて、どのような複数の条件を特定する情報が受付けられたか判断する。これにより、複数の条件を特定する情報が受付けられたこととなる。また、ＭＰＵ１０８は、複数の条件を特定する情報の内容に応じてメモリ１１０に記録されたフラグの値を変更する。
【００３７】
本実施の形態において、メモリ１１０に記憶されるフラグはステレオフラグ、ブランクフラグ、および２カ国語フラグである。ステレオフラグは、ステレオ放送であることを上述した複数の条件に含めるか否かを表わすフラグである。本実施の形態の場合、ステレオ放送であることを、上述した複数の条件に含める場合、ステレオフラグは「１」に設定される。もしそうでないと、ステレオフラグは「０」に設定される。ブランクフラグは、テレビ１４０の画面を黒一色（すなわち予め定められた明度を下回る一色）で塗潰すことを、上述した複数の条件に含めるか否かを表わすフラグである。本実施の形態の場合、テレビ１４０の画面を黒一色で塗潰すことを上述した複数の条件に含める場合、ブランクフラグは「１」に設定される。もしそうでないと、ブランクフラグは「０」に設定される。２カ国語フラグは、２カ国語放送であることを上述した複数の条件に含めるか否かを表わすフラグである。本実施の形態の場合、２カ国語放送であることを上述した複数の条件に含める場合、２カ国語フラグは「１」に設定される。もしそうでないと、２カ国語フラグは「０」に設定される。フラグの値が変更されると、ＭＰＵ１０８は、変更されたフラグの値に応じて、ＯＳＤ画像生成回路１２８に信号を出力する。ＯＳＤ画像生成回路１２８は、ＭＰＵ１０８から出力された信号に応じて、メッセージを表示させる信号を生成し、出力部１３０に出力する。出力部１３０はその信号をテレビ１４０に出力する。テレビ１４０はその信号に応じたメッセージを表示する。このようにしてフラグの値を変更することにより、上述した複数の条件を特定する情報がメモリ１１０に記録される。
【００３８】
Ｓ１２０にて、ＭＰＵ１０８は、検出回路１０４にビデオテープの信号を受付けさせる。そのために、まずＭＰＵ１０８は、ＶＣＲ装置１０２を制御する。ＶＣＲ装置１０２は、ＭＰＵ１０８の制御により、内部に装着されたビデオテープから信号を読出す。ＶＣＲ装置１０２は、読出した信号をＶＣＲ用デコーダ１１２に出力する。ＶＣＲ用デコーダ１１２は、ＶＣＲ装置１０２が出力した信号を、検出回路１０４が利用可能な信号に変換する。ＶＣＲ用デコーダ１１２は、変換した信号を、セレクタ１１４を通じて検出回路１０４に出力する。
【００３９】
Ｓ１２２にて、検出回路１０４は、セレクタ１１４を通じてＶＣＲ用デコーダ１１２が出力した信号を分析する。本実施の形態において、検出回路１０４が実施する分析は、メモリ１１０に記憶されたフラグの値に応じて異なる。ステレオフラグが「１」の場合、検出回路１０４は、音声用の信号がステレオ放送用かモノラル放送用かを分析する。ブランクフラグが「１」の場合、検出回路１０４は、映像の明度を表わす信号が少なくとも１画面分以上予め定められた値を下回るか否かを分析する。２カ国後放送フラグが「オン」の場合、検出回路１０４は、音声信号が、２カ国語放送用の信号か否かを判断する。
【００４０】
Ｓ１２４にて、ＭＰＵ１０８は、検出回路１０４が分析した結果がＳ１００にて設定された設定状態になったか否かを判断する。設定状態になったと判断した場合（Ｓ１２４にてＹＥＳ）、処理はＳ１２６へと移される。もしそうでないと（Ｓ１２４にてＮＯ）、処理はＳ１２８へと移される。
【００４１】
Ｓ１２６にて、ＭＰＵ１０８は、信号処理部１４６を制御して、チャプタを生成させる。信号処理部１４６は、生成したチャプタをＤＶＤドライブ１５２に出力する。ＤＶＤドライブ１５２は、チャプタをＤＶＤディスクに記録する。
【００４２】
Ｓ１２８にて、ＭＰＵ１０８は、操作部１２４もしくは受光部１２６からの入力を受付ける。Ｓ１３０にて、ＭＰＵ１０８は、入力された信号が録画停止を表わす信号か否かを判断する。録画停止を表わす信号と判断した場合（Ｓ１３０にてＹＥＳ）、処理は終了する。もしそうでないと（Ｓ１３０にてＮＯ）、処理はＳ１２０へと移される。
【００４３】
図５を参照して、以上のような構造およびフローチャートに基づく、ＤＶＤレコーダの動作について説明する。
【００４４】
操作部１２４もしくは受光部１２６は、ＭＰＵ１０８の制御により、状態の設定を受付ける（Ｓ１００）。この場合、コマーシャルの直後にチャプタを設定する旨の設定を受付けたとする。コマーシャルの直後か否かは、次の複数の条件により判断できる。その複数の条件とは、検出回路１０４が検出した信号が、モノラル放送用の信号からステレオ放送用の信号に変化した（すなわち、音声を表す視聴信号の種類数が増加した）という条件、および映像を表す視聴信号の内容が、予め定められた明度を下回る、一色で塗潰された映像変化したという条件である。これにより、操作部１２４もしくは受光部１２６は、複数の条件を受付けたこととなる。状態の設定を受付けると、ＭＰＵ１０８は、検出回路１０４にビデオテープの信号を受付けさせる（Ｓ１２０）。この動作は、図５の「録画開始」の時点の動作である。信号が受付けられると、検出回路１０４は、セレクタ１１４を通じてＶＣＲ用デコーダ１１２が出力した信号を分析する（Ｓ１２２）。この場合、コマーシャルの直後にチャプタを設定する旨の設定なので、検出回路１０４は、ステレオ放送用かモノラル放送用か、および映像の明度を表わす信号が少なくとも１画面分以上予め定められた値を下回るか否かを分析する。
【００４５】
信号が分析されると、ＭＰＵ１０８は、検出回路１０４が分析した結果がＳ１００にて設定された設定状態になったか否かを判断する（Ｓ１２４）。この場合、コマーシャルの直後にチャプタを設定する旨の設定なので、ＭＰＵ１０８は、モノラル放送であって、映像の明度を表わす信号が少なくとも１画面分以上予め定められた値を下回った場合に、設定状態になったと判断する。当初、番組放送中なので、放送はモノラル放送である。したがって設定状態になったと判断されないので（Ｓ１２４にてＮＯ）、ＭＰＵ１０８は、操作部１２４もしくは受光部１２６からの入力を受付ける（Ｓ１２８）。入力が受付けられると、ＭＰＵ１０８は、入力された信号が録画停止を表わす信号か否かを判断する（Ｓ１３０）。この場合、録画は継続されるので（Ｓ１３０にてＮＯ）、ＭＰＵ１０８は、再び検出回路１０４にビデオテープの信号を受付けさせる（Ｓ１２０）。信号が受付けられると、Ｓ１２２〜Ｓ１３０の処理を繰返す。一定時間が経過すると、コマーシャルの放送が終了する。これにより、ＭＰＵ１０８は、検出回路１０４が分析した結果がＳ１００にて設定された設定状態になったと判断するので（Ｓ１２４にてＹＥＳ）、ＭＰＵ１０８は、信号処理部１４６を制御して、チャプタ（すなわちチャプタ）を生成させる（Ｓ１２６）。この動作は、図５の左側の「チャプタ設定」の時点の動作である。チャプタが生成されると、再びＳ１２８以降の処理が繰返される。その後、図５の右側の「チャプタ設定」の時点の動作を経て、最終的に、ＭＰＵ１０８は、入力された信号が録画停止を表わす信号と判断するので（Ｓ１３０にてＹＥＳ）、処理は終了する。この時が図５の「終了」に示す時である。
【００４６】
以上のようにして、本実施の形態に係るデジタル記録装置は、ＶＣＲからＤＶＤに映像を録画し直す際に、映像もしくは音声を表わす信号の状態が、予め設定された信号状態と同じ状態に変化すると、チャプタを設定する。これにより、ＶＩＳＳ信号などを使用する必要がなくなる。そのような信号を使用する必要がなくなるので、コンテンツの頭のみでチャプタが設定されることがなくなる。また、本実施の形態に係るＤＶＤレコーダは、弱電信号などでＶＣＲの信号状態の変化を認識する必要がなくなる。弱電信号などで信号状態の変化を認識する必要がなくなるので、無用なチャプタを生成することがなくなる。その結果、自動的に適切な間隔のチャプタを付加できるデジタル記録装置を提供することができる。特に本実施の形態に係るデジタル記録装置は、ビデオテープに記録された視聴信号をＤＶＤに記録する装置である。一般に、ビデオテープに記録される信号には、チャプタが設定されていることが少ない。これにより、上述した本実施の形態に係るデジタル記録装置の効果は、より大きなものとなる。
【００４７】
なお、デジタル記録装置１００は、必ずしもビデオテープに記録された視聴信号をＤＶＤに記録する装置でなくてもよい。たとえば、ＤＶＤに記録された視聴信号をハードディスクに記録する装置であってもよい。あるいはハードディスクに記録された視聴信号をＤＶＤに記録する装置であってもよい。
【００４８】
また、複数の条件を特定する情報は、特に上述した条件を表わす情報に限定されない。たとえば、検出回路１０４が検出した、音声を表す視聴信号の種類数が増加しており、かつ検出回路１０４が検出した、同期信号（すなわち、映像が表示される時機を表す信号）の周期が変化したことといった複数の条件を特定する情報であってもよい。なお、以上の説明における音声を表す視聴信号の種類数が増加することには、新たに複数の拡声器において互いに異なる音声を出力させる複数の種類の信号が検出されることや、新たに単一の拡声器において互いに異なる音声を出力させる複数の種類の信号が検出されることなどを含む。前者には上述したモノラル放送がステレオ放送に変化することや１ヶ国語放送が２ヶ国語放送に変化することなどが含まれる。後者には合成された音声などの放送が始まることなどが含まれる。あるいは、モノラル放送がステレオ放送に変化し、かつ１ヶ国語放送が２ヶ国語放送に変化するといった複数の条件を特定する情報であってもよい。その他、検出回路１０４が予め定められた値を上回る音量を新たに検出し、かつ検出回路１０４が予め定められた明度を下回る一色で塗潰された映像を表す信号を新たに検出するといった複数の条件を特定する情報であってもよい。
【００４９】
その他、ＶＣＲ装置１０２、セレクタ１１４、およびチューナ１１８（アンテナ１６０含む）は、本実施の形態に係るデジタル記録装置と必ずしも一体でなくてよい。たとえばこれらは外部の装置であって、入力端子などによって接続されるものであってもよい。
【００５０】
これらとは別に、デジタル記録装置１００は、必ずしも状態の設定を受付けなくてもよい。たとえば、メモリ１１０に予め複数の条件を特定する情報を記録されていてもよい。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５２】
【図１】本発明の実施の形態に係るＤＶＤレコーダの全体構成図である。
【図２】本発明の実施の形態に係るＤＶＤ用エンコーダの制御ブロック図である。
【図３】本発明の実施の形態に係るリモコン端末の外形図である。
【図４】本発明の実施の形態に係るチャプタ作成処理の制御の手順を示すフローチャートである。
【図５】本発明の実施の形態に係るＤＶＤの動作を説明するタイムチャートである。
【符号の説明】
【００５３】
１００  デジタル記録装置、１０２  ＶＣＲ装置、１０４  検出回路、１０６  ＤＶＤ装置、１０８  ＭＰＵ、１１０  メモリ、１１２  ＶＣＲ用デコーダ、１１４  セレクタ、１１６  ＤＶＤ用エンコーダ、１１８  チューナ、１２０  計時回路、１２２  表示部、１２４  操作部、１２６  受光部、１２８  ＯＳＤ画像生成回路、１３０  出力部、１４０  テレビ、１４６  信号処理部、１５２  ＤＶＤドライブ、１５４  ＤＶＤ用デコーダ、１６０  アンテナ、２００  リモコン端末、２１０  モニタ、２２０  カーソルボタン、２３０  テンキー。
【図１】
2006012347.tif 000003
【図２】
2006012347.tif 000004
【図３】
2006012347.tif 000005
【図４】
2006012347.tif 000006
【図５】
2006012347.tif 000007